(57)【特許請求の範囲】
【請求項１】
光源と、
前記光源による３つの色成分を含む光を、第１の色光と、第２の色光と、第３の色光の３つに分離する光分離手段と、
前記光分離手段によって分離された第１、第２、及び第３の色光に対応して設けられ、前記各色光をそれぞれ入射して変調する第１、第２、及び第３の液晶パネルと、
前記各液晶パネルによってそれぞれ変調された各光を合成する光合成手段と、
前記光合成手段により合成された光の合成像を投射する投射レンズと、
を具備し、
前記光分離手段は、印加電圧に応じて、入射光のうちの所定の波長の光の回折／透過を制御可能なホログラム手段からなり、
前記ホログラム手段は、青色光を所定の周期で前記第１、第２、及び第３の色光に割り当て可能に制御される
ことを特徴とする投射型表示装置。
【請求項２】
光源と、
前記光源による３つの色成分を含む光を、第１の色光と、それ以外の２つの色成分を含む色光の２つに分離する第１の光分離手段と、
前記２つの色成分を含む色光を第２の色光と第３の色光の２つに分離する第２の光分離手段と、
前記第１及び第２の光分離手段によって分離された第１、第２、及び第３の色光に対応して設けられ、前記各色光をそれぞれ入射して変調する第１、第２、及び第３の液晶パネルと、
前記各液晶パネルによってそれぞれ変調された各光を合成する光合成手段と、
前記光合成手段により合成された光の合成像を投射する投射レンズと、
を具備し、
前記第１及び第２の光分離手段は、印加電圧に応じて、入射光のうちの所定の波長の光の回折／透過を制御可能なホログラム手段からなり、
前記ホログラム手段は、青色光を所定の周期で前記第１、第２、及び第３の色光に割り当て可能に制御される
ことを特徴とする投射型表示装置。
【請求項３】
光源と、
前記光源による３つの色成分を含む光を、第１の色光と、それ以外の２つの色成分を含む色光の２つに分離する第１の光分離手段と、
前記２つの色成分を含む色光を第２の色光と第３の色光の２つに分離する第２の光分離手段と、
前記各光分離手段によって分離された第１、第２、及び第３の色光にそれぞれ対応して設けられ、前記各色光をそれぞれ入射して変調する第１、第２、及び第３の液晶パネルと、
前記各液晶パネルによって変調された各色光を合成する光合成手段と、
前記光合成手段により合成された光の合成像を投射する投射レンズと、
を具備し、
前記第１の光分離手段は、前記第１の色光を透過し、前記２つの色成分を含む色光を反射させるダイクロイックミラーからなり、
前記第２の光分離手段は、印加電圧に応じて、入射光のうちの所定の波長の光の回折／透過を制御可能なホログラム手段からなり、
前記ホログラム手段は、青色光を所定の周期で前記第２及び第３の色光に割り当て可能に制御される
ことを特徴とする投射型表示装置。
【請求項４】
前記ホログラム手段は、前記液晶パネルに入射すべき波長の光にそれぞれ対応したホログラム素子を複数積層したものであることを特徴とする請求項１乃至３のいずれかに記載の投射型表示装置。
【請求項５】
各光の色に対応する画像信号を、前記液晶パネルの各々に選択的に供給するセレクタを備えることを特徴とする請求項１乃至４のいずれかに記載の投射型表示装置。
【請求項６】
前記ホログラム手段への印加電圧及び前記セレクタを制御する制御手段を有することを特徴とする請求項５記載の投射型表示装置。
【請求項７】
前記複数のホログラム素子の各々に対して独立して印加電圧を供給する駆動回路を備え、
前記制御手段は、前記駆動回路を制御することにより液晶パネルに入射される入射光の色を変更することを特徴とする請求項６記載の投射型表示装置。
【請求項８】
前記制御回路により液晶パネルに入射される光の色を変更するタイミングは、前記液晶パネルを駆動する信号に同期して行われることを特徴とする請求項７記載の投射型表示装置。
【請求項９】
前記制御手段により液晶パネルに入射される光の色を変更するタイミングは、垂直走査信号に同期して行われることを特徴とする請求項８記載の投射型表示装置。
【請求項１０】
前記制御手段により液晶パネルに入射される光の色を変更するタイミングは、水平走査信号に同期して行われることを特徴とする請求項８記載の投射型表示装置。
【請求項１１】
前記光合成手段は、印加電圧に応じて入射光のうちの所定の波長の光の回折／透過を制御可能なホログラム手段からなることを特徴とする請求項１乃至１０のいずれかに記載の投射型表示装置。
【請求項１２】
前記光合成手段は、印加電圧に応じて入射光のうちの所定の波長の光の回折／透過を制御可能なホログラム手段からなり、
前記制御手段は、前記液晶パネルによって変調された各光が合成されるように、前記ホログラム手段への印加電圧を制御することを特徴とする請求項６乃至１０のいずれかに記載の投射型表示装置。
【請求項１３】
前記光合成手段は、前記第１の色光のＳ偏向を反射する第１ＰＢＳと、前記第３の色光のＳ偏向を反射する第２ＰＢＳとを交差させた構成をとるクロスプリズムであることを特徴とする請求項１乃至１０のいずれかに記載の投射型表示装置。
【請求項１４】
前記光分離手段の最終段からの出射光を前記光源に戻す光帰還手段を具備することを特徴とする請求項１乃至１３のいずれかに記載の投射型表示装置。
【請求項１５】
前記ホログラム手段によって分離される光は、赤色光、緑色光および青色光であることを特徴とする請求項１乃至１４のいずれかに記載の投射型表示装置。
【発明の詳細な説明】
【０００１】
【発明の属する技術分野】
本発明は、液晶パネルによって各原色を変調した画像を合成・投射する液晶プロジェクタ等の投射型表示装置に関する。
【０００２】
【従来の技術】
液晶プロジェクタとは、スクリーンなどへの投射画像を作成するためのライトバルブとして液晶パネルを用いたものであり、一般的には次のような構成となっている。すなわち、液晶プロジェクタは、例えば、３つの液晶パネルに対して、それぞれＲ（赤）色光、Ｇ（緑）色光、Ｂ（青）色光を照射するとともに、各色光の画像信号にしたがって駆動することにより、各色光に対応する画像を作成して、これらの画像を合成・投射する構成となっている。
【０００３】
【発明が解決しようとする課題】
しかしながら、上述した液晶プロジェクタでは、特に、青色光が照射される液晶パネルが、他の緑色光および赤色光が照射される液晶パネルよりも著しく劣化して、その寿命が早く尽きる、という問題が発生した。これは、紫外領域に近い青色光には少なからず紫外線が含まれるためである。なお、ノート型パソコンや液晶テレビなどの一般用途の液晶パネルにおいて劣化が問題になっていない理由は、液晶パネルヘの光強度が、プロジェクタに適用される液晶パネルのそれと比較して、遥かに低いためである。すなわち、液晶パネルの劣化は、プロジェクタのように光強度が高い用途への適用によってはじめて顕在化した問題である。また、装置の小型化、簡略化も強く望まれている。
【０００４】
この発明は上述した事情に鑑みてなされたもので、青色光のような、ある特定の色光を変調する液晶パネルの劣化を防止して、液晶パネルの延命化することができるとともに、装置構成の小型化、簡略化を図ることができる投射型表示装置を提供することを目的とする。
【０００５】
【課題を解決するための手段】
本発明は上記課題を解決するために、光源と、前記光源による光を複数の色光に分離する光分離手段と、前記光分離手段によって分離された色光に対応して設けられ、該色光をそれぞれ入射して変調する液晶と、それぞれの前記液晶パネルによって変調された各光を合成する光合成手段と、前記光合成手段により合成された光の合成像を投射する投射レンズと、を具備し、前記光分離手段は、印加電圧に応じて、入射光のうちの所定の波長の光の回折／透過を制御可能なホログラム手段からなることを特徴とする。
【０００６】
本発明によれば、光源によって照射された光は、印加電圧に応じて入射光の回折／透過を制御可能なホログラム手段からなる光分離手段によって複数の色光に分離され、液晶パネルによってそれぞれ変調された後、投射レンズによって合成されて、スクリーンなどに投射される。この際、制御回路は、液晶パネルヘの入射色光を変更し、変更毎に異なる色光を各液晶パネルにより変調する。各液晶パネルは、ある特定の色光のみを変調するのではなく、変更毎に異なる色光を変調することになる。このため、各液晶パネルの劣化は均等化されるので、液晶パネルを実質的に延命化することが可能となる。また、光源からの各色光をホログラム素子により透過、回折させることで、駆動部を持たない構成で、液晶プロジェクタを実現することが可能となる。ゆえに、装置の小型化、故障の発生の低減などを図ることが可能となる。
【０００７】
ここで、前記ホログラム手段は、前記液晶パネルに入射すべき波長の光にそれぞれ対応したホログラム素子を複数積層したものとすることが望ましい。
【０００８】
また、各光の色に対応する画像信号を、前記液晶パネルの各々に選択的に供給するセレクタを備えることが望ましい。
【０００９】
上述したように、本発明の要旨は、光源からの各色光をホログラム素子により透過、回折させることで、駆動部を持たない構成で、液晶プロジェクタを実現する点にあるが、入射色光に対応する画像信号が液晶パネルの各々に供給されるように制御すると、入射色光と画像信号に対応する色光とが一致するので、画像信号にしたがったカラー画像を投射することが可能となる。
【００１０】
また、前記ホログラム手段への印加電圧及び前記セレクタを制御する制御手段を有することが望ましい。このような構成によれば、印加電圧を制御するという静的な制御のみで、所定の液晶パネルへ所定の色光を入射させることが可能となる。
【００１１】
また、前記複数のホログラム素子の各々に対して独立して印加電圧を供給する駆動回路を備え、前記制御回路は、前記駆動回路を制御することにより液晶パネルに入射される入射光の色を変更することが望ましい。このような構成によれば、印加電圧を制御するという静的な制御のみで、かつ簡単な構成で、所定の液晶パネルへ所定の色光を入射させることが可能となる。
【００１２】
また、前記制御回路により液晶パネルに入射される光の色を変更するタイミングは、前記液晶パネルを駆動する信号に同期して行われることが望ましい。これにより、色光の変更に伴う投影画像の影響を抑えることが可能となる。
【００１３】
上記タイミングは、垂直走査信号に同期して行われてもよいし、水平走査信号に同期して行われてもよい。
【００１４】
また、前記光合成手段は、印加電圧に応じて入射光のうちの所定の波長の光の回折／透過を制御可能なホログラム手段からなることが望ましい。
【００１５】
また、前記光合成手段は、印加電圧に応じて入射光のうちの所定の波長の光の回折／透過を制御可能なホログラム手段からなり、前記制御回路は、前記液晶パネルによって変調された各光が合成されるように、前記ホログラム手段への印加電圧を制御することが望ましい。これにより、合成側においても、駆動部を持たない構成で、液晶プロジェクタを実現することが可能となる。ゆえに、装置の小型化、故障の発生の低減などを図ることが可能となる。
【００１６】
また、前記光分離手段の最終段からの出射光を前記光源に戻す光帰還手段を具備することが望ましい。これにより、効率を向上させることが可能となる。
【００１７】
また、前記ホログラム手段によって分離される光は、赤色光、緑色光および青色光であることが望ましい。
【００１８】
また、前記光分離手段は、前記光源からの光に含まれる赤色光、青色光および緑色光のうち、緑色光を透過して一の液晶パネルに入射させ、かつ、赤色光、青色光を反射させるダイクロイックミラーと、前記ダイクロイックミラーにより反射された赤色光、青色光の各々を、印加電圧に応じて回折／透過させることにより、他の２つの液晶パネルへ選択的に入射させるホログラム手段とからなることが望ましい。これにより、投射される画像の輝度に大きな影響を与える緑色光は、特定の液晶パネルによってのみ変調されるので、色光の変更に伴う輝度変化を抑えることが可能となる。さらに、ホログラムユニットの数の削減、ホログラム駆動回路の削減など、装置構成を小型化、簡略化を図ることが可能となる。
【００１９】
また、前記光合成手段は、緑色光のＳ偏向を反射する第１ＰＢＳと、赤色光および青色光のＳ偏向を反射する第２ＰＢＳとを交差させた構成をとるクロスプリズムであることを特徴とすることが望ましい。これにより、ホログラムユニットの数の削減、ホログラム駆動回路の削減など、装置構成を小型化、簡略化を図ることが可能となる。
【００２０】
また、前記光分離手段は、印加電圧に応じて入射光の回折／透過を制御可能なホログラム機能を有し、前記光源からの光に含まれる赤色光、青色光および緑色光の各色光を、それぞれ異なる方向に分離し、緑色光を一の液晶パネルに入射させ、かつ、他の赤色光、青色光の各々を、２つの液晶パネルへ入射させるホログラム手段からなり、前記制御手段は、前記赤色光、青色光が２つの液晶パネルに交互に入射するように、前記ホログラム手段を制御することことが望ましい。これにより、ホログラムユニットの数の削減、ホログラム駆動回路の削減など、装置構成を小型化、簡略化を図ることが可能となる。さらに、投射される画像の輝度に大きな影響を与える緑色光は、特定の液晶パネルによってのみ変調されるので、色光の変更に伴う輝度変化を抑えることが可能となる。
【００２１】
また、前記光分離手段は、前記光源からの光に含まれる赤色光、青色光および緑色光のうち赤色光を透過して一の液晶パネルに入射させ、かつ、緑色または赤色の他方の光及び青色光を反射させるダイクロイックミラーと、前記ダイクロイックミラーにより反射された緑色光、青色光の各々を、印加電圧に応じて回折／透過させることにより、他の２つの液晶パネルへ選択的に入射させるホログラム手段とからなることが望ましい。これにより、ホログラムユニットの数の削減、ホログラム駆動回路の削減など、装置構成を小型化、簡略化を図ることが可能となる。
【００２２】
また、前記光合成手段は、赤色光のＳ偏向を反射する第１ＰＢＳと、緑色光および青色光のＳ偏向を反射する第２ＰＢＳとを交差させた構成をとるクロスプリズムであることを特徴とすることが望ましい。これにより、ホログラムユニットの数の削減、ホログラム駆動回路の削減など、装置構成を小型化、簡略化を図ることが可能となる。
【００２３】
また、前記光分離手段は、印加電圧に応じて入射光の回折／透過を制御可能なホログラム機能を有し、前記光源からの光に含まれる緑色光、青色光および赤色光の各色光を、それぞれ異なる方向に分離し、赤色光を一の液晶パネルに入射させ、かつ、他の緑色光、青色光の各々を、２つの液晶パネルへ入射させるホログラム手段からなり、前記制御手段は、前記緑色光、青色光が２つの液晶パネルに交互に入射するように、前記ホログラム手段を制御することが望ましい。これにより、ホログラムユニットの数の削減、ホログラム駆動回路の削減など、装置構成を小型化、簡略化を図ることが可能となる。
【００２４】
【発明の実施の形態】
以下、本発明の実施の形態について図面を参照して説明する。
【００２５】
＜第１実施形態＞
まず、本発明の第１実施形態による投射型表示装置の例である液晶プロジェクタについて説明する。図１は、本第１実施形態による液晶プロジェクタの構成を示す平面図である。この図において、光源１０は、白色光を照射するメタルハライドランプ１２と、この照射光を略平行な光束として図１において右方に導くためのリフレクタ１４とから構成されている。
【００２６】
第１ホログラム２１、第２ホログラム２２、第３ホログラム２３が光分離手段を構成している。第１ホログラム２１は、ＲＧＢそれぞれに対応した３つのホログラム素子を積層して構成されている。ホログラム素子の単体は、図２（ａ）に示すように、高分子分散型液晶５０とホログラム記録部５１とを電極５２ａ，５２ｂで挟み、さらにガラス５３ａ，５３ｂで挟み込んだ積層構造を有する。第１ホログラム２１において、電極５２ａ，５２ｂへの電圧の印加により、たとえば高分子分散型液晶のような液晶５０の屈折率を変化させ、ホログラム記録部５１との屈折率差を変化させる。ここで、ホログラム素子には波長選択性があるため、屈折率の変化はホログラム記録部５１の特性に依存した特定の波長の光に対してのみ起り、他の波長の光については屈折率は変化しない。屈折率を一致させると、ホログラム機能がオフ、屈折率を異なる値にすると、ホログラム機能がオンする。第２ホログラム２２、第３ホログラム２３についても第１ホログラム２１と同様の構成となっている。
【００２７】
上記ホログラム機能によれば、第１動作例としては、図２（ｂ）に示すように、電圧非印加時には真直ぐ入射する入射光を回折し、電圧印加時には入射光を非回折（直進）させることが可能となる。また、第２動作例としては、図２（ｃ）に示すように、電圧非印加時には斜めに入射する入射光を回折し、電圧印加時には入射光を非回折（直進）させることが可能となる。
【００２８】
先程述べた波長選択性を有しているので、ＲＧＢそれぞれを独立して制御するホログラム素子を並べる（積層する）ことで、入射光を構成するＲＧＢに対して独立に回折、非回折（直進）を制御することができる。なお、図２（ｄ）は、電圧非印加時のホログラム素子の光学特性である。また、液晶材料の特性を変えることで、電圧印加時の機能を逆にすることもできる。
【００２９】
上記第１ホログラム２１では、所定の周期で、光源１０からの入射光のいずれか１つの色光を順次下方に回折させ、他の色光については透過する構成となっている。また、第２ホログラム２２は、第１ホログラム２１と同様な構成となっているが、回折する色光が異なるように設定されており、第１ホログラム２１によって透過された色光のうち、いずれか一方の色光のみを回折し、他方の色光を透過させる。また、第３ホログラム２３は、第１ホログラム２１、第２ホログラム２２の透過光を、図１において下方に回折させるようになっている。
【００３０】
次に、第１ＬＣＤ３０は、液晶パネル３００と、該液晶パネル３０の入射側および出射側に配置された偏光子３０１，３０２とから構成されている。また、第２ＬＣＤ３１は、液晶パネル３１０と、該液晶パネル３１０の入射側および出射側に配置された偏光子３１１，３１２とから構成されている。同様に、第３ＬＣＤ３２は、液晶パネル３２０と、該液晶パネル３２０の入射側および出射側に配置された偏光子３２１，３２２とから構成されている。
【００３１】
第１ＬＣＤ３０、第２ＬＣＤ３１、第３ＬＣＤ３２は、各々、第１ホログラム２１、第２ホログラム２２、第３ホログラム２３によって回折された色光を、入射側および出射側に配置された偏光子３０１，３０２、３１１，３１２、３２１，３２２を用いて変調するものである。ここで、第１ＬＣＤ３０、第２ＬＣＤ３１、第３ＬＣＤ３２の構成は、それぞれ次のような構成となっている。すなわち、各第１ＬＣＤ３０、第２ＬＣＤ３１、第３ＬＣＤ３２の構成は、例えば、絵画素に対応し、かつ、透明性を有する画素電極が形成された基板と、対向電極が形成された基板との間にＴＮ（Twisted Nematic）型液晶が挟持されるとともに、電圧無印加状態において、液晶分子の長軸方向が両基板間で約９０度連続的にねじれるような配向処理が施された構成となっている。さらに、入射側の偏光子３０１，３１１，３２１の偏光軸は、入射側基板における液晶分子の配向方向となるように設けられ、同様に、出射側の偏光子３０２，３１２，３２２の偏光軸は、出射側基板における液晶分子の配向方向となるように設けられている。
【００３２】
ここで、画素電極と対向電極との間を通過する光は、両電極間に挟持された液晶層への印加電圧がゼロであれば、液晶分子のねじれに沿って約９０度旋光するが、印加電圧が高くなるにつれて、液晶分子が電界方向に傾く結果、電圧無印加状態の旋光性が徐々に消失する。このため、各第１ＬＣＤ３０、第２ＬＣＤ３１、第３ＬＣＤ３２では、入射光に対する出射光の偏光軸角度が、液晶層への印加電圧に応じて変化することになる。一方、偏光軸角度が変化した出射光のうち、偏光子３０２，３１２，３２２の偏光軸方向と同方向成分の光は透過するが、それと直交する方向の成分の光は遮断される。したがって、液晶層への印加電圧が高い程、偏光子３０２，３１２，３２２を通過する光量が減少するので、各液晶パネル３０，３１，３２において画素毎の印加電圧を制御することで、各色光毎に、かつ各画素毎に濃度変化させた画像が得られることとなる。なお、偏光子３０２，３１２，３２２の偏光軸を偏光子３０１，３１１，３２１の偏光軸と一致させても良く、この場合には、液晶層への印加電圧が高い程、偏光子３０２，３１２，３２２を通過する光量が増加することになる。
【００３３】
次に、第４ホログラム２４は、第１ＬＣＤ３０（および偏光子３０１、３０２）の出射光を図１において斜め右方に回折するものである。同様に、第５ホログラム２５、第６ホログラム２６は、各々、第２ＬＣＤ３１、第３ＬＣＤ３２の出射光に対応する１つ色光のみを図１において斜め右方に回折するようになっている。ここで、第４ホログラム２４による回折光は、第５ホログラム２５、第６ホログラム２６を透過するので、また、第５ホログラムの回折光は、第６ホログラム２６を透過するので、結局、第４ホログラム２４、第５ホログラム２５、第６ホログラム２６の各回折光が合成されて、これが投射レンズ４０によって図示しないスクリーン上に投射されることとなる。
【００３４】
ここで、ホログラムの動作を、第１ホログラム２１、第１ＬＣＤ３０および第４ホログラム２４の動作例を挙げて、図３を参照してより具体的に説明する。まず、第１ホログラム２１および第４ホログラム２４において、Ｒモジュール２１ｒ，２４ｒのみをオフにする。これにより、図３（ａ）に示すように、第１ホログラム２１で、Ｒの色光のみが回折され、第１ＬＣＤ３０で変調され、第４ホログラム２４で再び回折される。次に、第１ホログラム２１および第４ホログラム２４において、Ｇモジュール２１ｇ，２４ｇのみをオフにする。これにより、図３（ｂ）に示すように、第１ホログラム２１で、Ｇの色光のみが回折され、第１ＬＣＤ３０で変調され、第４ホログラム２４で再び回折される。さらに、第１ホログラム２１および第４ホログラム２４において、Ｂモジュール２１ｂ，２４ｂのみをオフにする。これにより、図３（ｃ）に示すように、第１ホログラム２１で、Ｂの色光のみが回折され、第１ＬＣＤ３０で変調され、第４ホログラム２４で再び回折される。
【００３５】
ここで、本第１実施形態による液晶プロジェクタの電気的な構成について図４を参照して説明する。この図において、制御回路２１０は、垂直走査に同期する垂直同期信号ＶＳＹＮＣと、水平走査に同期する水平同期信号ＨＳＹＮＣとを入力して、次のような制御を行うものである。すなわち、制御回路２１０は、第１に、赤色、緑色、青色にそれぞれ対応する画像信号Ｒ、Ｇ、Ｂと、この画像信号を供給する第１ＬＣＤ３０、第２ＬＣＤ３１、第３ＬＣＤ３２との組み合わせを指示する信号ＶＳ１を出力し、第２に、第１ホログラム２１〜第６ホログラム２６を駆動するための駆動回路２３０〜２３５の各々に対する制御信号ＣＳ１〜ＣＳ６をそれぞれ出力し、第３に、各第１ＬＣＤ３０、第２ＬＣＤ３１、第３ＬＣＤ３２に対して駆動に必要なクロック信号ＣＬＫなどを出力するものである。また、駆動回路２３０〜２３５は、各々、制御信号ＣＳ１〜ＣＳ６に従って、第１ホログラム２１〜第６ホログラム２６におけるＲ，Ｇ，Ｂモジュールをオン／オフ駆動する。
【００３６】
さて、セレクタ２２０は、信号ＶＳ１に規定される組み合わせにしたがって、実際に、画像信号Ｒ、Ｇ、Ｂをそれぞれ第１ＬＣＤ３０、第２ＬＣＤ３１、第３ＬＣＤ３２に供給するものである。したがって、第１ＬＣＤ３０、第２ＬＣＤ３１、第３ＬＣＤ３２の各々には、信号ＶＳ１に規定される組み合わせにしたがった画像信号Ｒ、Ｇ、Ｂのいずれかとともに、クロック信号ＣＬＫなどが供給されて、これらの信号に基づいて当該画像信号の色光の画像が形成されることとなる。
【００３７】
次に、本第１実施形態による液晶プロジェクタの動作について、図５に示されるタイミングチャートを参照して説明する。まず、最初の垂直同期信号ＶＳＹＮＣが制御回路２１０に供給されると、制御回路２１０は、駆動回路２３０，２３３に対し、第１、第４ホログラム２１，２４において、Ｒモジュールをオフ、Ｇ，Ｂモジュールをオンとする制御信号ＣＳ１，ＣＳ４を供給し、第２、第５ホログラム２２，２５において、Ｒモジュールをオン、Ｇモジュールをオフ、Ｂモジュールをオンとする制御信号ＣＳ２，ＣＳ５を供給し、さらに、第３、第６ホログラム２３，２６において、Ｒ，Ｇモジュールをオン、Ｂモジュールをオフとする制御信号ＣＳ３，ＣＳ６を供給する。
【００３８】
この状態▲１▼では、光源１０による平行光束のうち、第１ホログラム２１では赤色光が回折して、第１ＬＣＤ３０に入射する一方、緑色光および青色光が透過する。この透過光うち、第２ホログラム２２では緑色光が回折して、第２ＬＣＤ３１に入射する一方、青色光が透過する。そして、この青色光の透過光は、第３ホログラム２３によって回折して、第３ＬＣＤ３２に入射する。
【００３９】
また、状態▲１▼では、制御回路２１０は、セレクタ２２０に対して次のような組み合わせを規定する信号ＶＳ１を出力する。すなわち、制御回路２１０は、第１ＬＣＤ３０には画像信号Ｒが、第２ＬＣＤ３１には画像信号Ｇが、第３ＬＣＤ３２には画像信号Ｂが、それぞれ供給されるように、セレクタ２２０を制御する。
【００４０】
このため、第１ＬＣＤ３０には、赤色光が入射するとともに、画像信号Ｒが供給されるので、変調によって赤色の画像が形成されることになる。同様に、第２ＬＣＤ３１には、緑色光が入射するとともに、画像信号Ｇが供給されるので、緑色光の画像が形成され、また、第３ＬＣＤ３２には、青色光が入射するとともに、画像信号Ｂが供給されるので、青色光の画像が形成されることになる。
【００４１】
さらに、状態▲１▼では、第１ＬＣＤ３０によって変調された赤色光は、第４ホログラム２４によって回折し、第５ホログラム２５、第６ホログラム２６を透過する。また、第２ＬＣＤ３１によって変調された緑色光は、第５ホログラム２５によって回折し、第６ホログラム２６を透過する。さらに、第３ＬＣＤ３２によって変調された青色光は、第６ホログラム２６によって回折する。この結果、最終的には、各色光の合成像が図示しないスクリーン上に投射されることとなる。
【００４２】
次に、第２の垂直同期信号ＶＳＹＮＣが制御回路２１０に供給されると、制御回路２１０は、駆動回路２３０〜２３５に対し、第１、第４ホログラム２１，２４において、Ｒ，Ｇモジュールをオン、Ｂモジュールをオフとする制御信号ＣＳ１，ＣＳ４を供給し、第２、第５ホログラム２２，２５において、Ｒモジュールをオフ、Ｇ，Ｂモジュールをオンとする制御信号ＣＳ２，ＣＳ５を供給し、さらに、第３、第６ホログラム２３，２６において、Ｒモジュールをオン、Ｇモジュールをオフ、Ｂモジュールをオンとする制御信号ＣＳ３，ＣＳ６を供給する。
【００４３】
これにより、状態▲１▼から状態▲２▼へと遷移することになる。すなわち、光源１０による平行光束のうち、第１ホログラム２１では青色光が回折して、第１ＬＣＤ３０に入射する一方、赤色光および緑色光が透過する。この透過光うち、第２ホログラム２２では赤色光が回折して、第２ＬＣＤ３１に入射する一方、緑色光が透過する。そして、この緑色光の透過光は、第３ホログラム２３によって回折して、第３ＬＣＤ３２に入射する。
【００４４】
また、制御回路２１０は、この遷移に合わせて、セレクタ２２０を制御する。すなわち、制御回路２１０は、第１ＬＣＤ３０には画像信号Ｂが、第２ＬＣＤ３１には画像信号Ｒが、第３ＬＣＤ３２には画像信号Ｇが、それぞれ供給されるように、セレクタ２２０を制御する。
【００４５】
このため、第１ＬＣＤ３０には、青色光が入射するとともに、画像信号Ｂが供給されるので、変調によって青色の画像が形成されることになる。同様に、第２ＬＣＤ３１には、赤色光が入射するとともに、画像信号Ｒが供給されるので、赤色光の画像が形成され、また、第３ＬＣＤ３２には、緑色光が入射するとともに、画像信号Ｇが供給されるので、緑色光の画像が形成されることになる。
【００４６】
さらに、状態▲２▼では、第１ＬＣＤ３０によって変調された青色光は、第４ホログラム２４によって回折し、第５ホログラム２５、第６ホログラム２６を透過する。また、第２ＬＣＤ３１によって変調された赤色光は、第５ホログラム２５によって回折し、第６ホログラム２６を透過する。さらに、第３ＬＣＤ３２によって変調された緑色光は、第６ホログラム２６によって回折する。この結果、最終的には、各色光の合成像が図示しないスクリーン上に投射されることとなる。
【００４７】
同様に、第３の垂直同期信号ＶＳＹＮＣが制御回路２１０に供給されると、制御回路２１０は、駆動回路２３０〜２３５に対し、第１、第４ホログラム２１，２４において、Ｒモジュールをオン、Ｇモジュールをオフ、Ｂモジュールをオンとする制御信号ＣＳ１，ＣＳ４を供給し、第２、第５ホログラム２２，２５において、Ｒ，Ｇモジュールをオン、Ｂモジュールをオフとする制御信号ＣＳ２，ＣＳ５を供給し、さらに、第３、第６ホログラム２３，２６において、Ｒモジュールをオフ、Ｇ，Ｂモジュールをオンとする制御信号ＣＳ３，ＣＳ６を供給する。
【００４８】
これにより、状態▲２▼から状態▲３▼へと遷移することになる。すなわち、光源１０による平行光束のうち、第１ホログラム２１および第４ホログラム２４では緑色光が回折し、第２ホログラム２２および第５ホログラム２５では青色光が回折し、第３ホログラム２３および第６ホログラムでは赤色光が回折する。
【００４９】
また、制御回路２１０は、この遷移に合わせて、セレクタ２２０を制御する。すなわち、制御回路２１０は、第１ＬＣＤ３０には画像信号Ｇが、第２ＬＣＤ３１には画像信号Ｂが、第３ＬＣＤ３２には画像信号Ｒが、それぞれ供給されるように、セレクタ２２０を制御する。
【００５０】
したがって、第１ＬＣＤ３０には、緑色光が入射するとともに、画像信号Ｇが供給されるので、変調によって緑色光の画像が形成されることになる。同様に、第２ＬＣＤ３１には、青色光が入射するとともに、画像信号Ｂが供給されるので、青色光の画像が形成され、また、第３ＬＣＤ３２には、赤色光が入射するとともに、画像信号Ｒが供給されるので、赤色光の画像が形成されることになる。この結果、最終的には、各色光の合成像が図示しないスクリーン上に投射されることとなる。
【００５１】
このように、本第１実施形態では、青色光を変調する主体が第３ＬＣＤ３２→第１ＬＣＤ３０→第２ＬＣＤ３１→第３ＬＣＤ３２という順番で変更されるので、青色光を変調することによる液晶パネルの劣化は、３つの第１ＬＣＤ３０、第２ＬＣＤ３１、第３ＬＣＤ３２において互いに均等に進行することになる。このため、本第１実施形態によれば、ある特定の液晶パネルのみが青色光を変調するという従来の構成と比較すると、劣化の均等化により、液晶パネルの寿命を延ばすことが可能となる。さらに、本第１実施形態では、光源からの各色光をホログラム素子により透過、回折させることで、可動部を持たない構成で、液晶プロジェクタを実現することができる。ゆえに、装置の小型化、故障の発生の低減などを図ることが可能となる。
【００５２】
なお、上記説明では、垂直同期信号が入力される毎に切り換えを行ったが、複数の垂直同期信号に一回毎に切り換えを行ってもよい。さらに、水平走査帰線期間のタイミングを決める水平同期信号や、その他のタイミングに同期して切り換えを行ってもよい。
【００５３】
＜第２実施形態＞
次に、本発明の第２実施形態について説明する。ここで、図６は、本発明の第２実施形態による液晶プロジェクタの構成を示す平面図である。なお、図１に対応する部分には同一の符号を付けて説明を省略する。前述した第１実施形態の構成において、実際には、第１ホログラム２１〜第３ホログラム２３のいずれでも回折されなかった光が第３ホログラム２３を透過して出射される。そこで、本第２実施形態では、第１実施形態の構成に加えて、第３ホログラム２３を透過した光をミラー６０，６１、レンズ６２およびミラー６３により光源１０へ戻して再利用するように構成されている。本第２実施形態の動作は第１実施形態と同じであるので説明を省略する。本第２実施形態の構成によれば、効率を向上させることが可能となる。
【００５４】
＜第３実施形態＞
次に、本発明の第３実施形態について説明する。ここで、図７は、本発明の第３実施形態による液晶プロジェクタの構成を示す平面図である。なお、図１に対応する部分には、同一の符号を付けて説明を省略する。図において、ダイクロイックミラー７０は、光源１０からの平行光束のうち、Ｇ（縁）色光のみを透過し、他のＲ（赤）色光およびＢ（青）色光を反射するように、入射光に対して４５度の位置関係となっている。ミラー７２は、入射光に対して４５度の位置関係となっており、上記ダイクロイックミラー７０を透過したＧ（縁）色光を反射し、第３ＬＣＤ９２に入射するようになっている。
【００５５】
次に、第１ホログラム８０（８１）は、各々、図８（ａ）または（ｂ）に示すように、２つのホログラム素子、すなわちＲモジュール８０ｒ（８１ｒ）、Ｂモジュール８０ｂ（８１ｂ）からなり、Ｒモジュール８０ｒ（８１ｒ）のみオフとすることで、Ｒ（赤）色光を回折し、Ｂ（青）色光を透過する一方、Ｂモジュール８０ｂ（８１ｂ）のみをオフとすることで、Ｂ（青）色光を回折し、Ｒ（赤）色光を透過するようになっている。したがって、第１ホログラム８０は、Ｒ（赤）色光またはＢ（青）色光のいずれか一方を、第１ＬＣＤ９０へ入射するようになっている。
【００５６】
また、ミラー７４は、第１ホログラム８０を透過したＲ（赤）色光またはＢ（青）色光を反射し、第２ホログラム８１へ入射する。第２ホログラム８１は、上述したように、上記第１ホログラム８０と同じく、図８（ａ）または（ｂ）に示す構成となっており、Ｒ（赤）色光またはＢ（青）色光のいずれか一方を、第２ＬＣＤ９１へ入射するようになっている。
【００５７】
第１ＬＣＤ９０および第２ＬＣＤ９１は、Ｒ（赤）色光またはＢ（青）色光を交互に変調し、クロスプリズム９５に入射する。また、第３ＬＣＤ９２は、Ｇ（縁）色光のみを変調し、クロスプリズム９５に入射する。クロスプリズム９５は、図９に示すように、Ｇ（縁）色光のＳ偏向を反射する第１ＰＢＳと、Ｒ（赤）色光およびＢ（青）色光のＳ偏向を反射する第２ＰＢＳとを交差させた構成をとる。図中、上方より入射するＲ（赤）色光またはＢ（青）色光は、Ｐ偏向であるため、第１ＰＢＳ、第２ＰＢＳ共に透過するようになっている。
【００５８】
ここで、図１０は、本第３実施形態による液晶プロジェクタの電気的な構成を示すブロック図である。図において、制御回路４１０は、垂直走査に同期する垂直同期信号ＶＳＹＮＣと、水平走査に同期する水平同期信号ＨＳＹＮＣとを入力して、次のような制御を行うものである。すなわち、制御回路４１０は、第１に、赤色、緑色、青色にそれぞれ対応する画像信号Ｒ、Ｇと、この画像信号を供給する第１ＬＣＤ９０、第２ＬＣＤ９１との組み合わせを指示する信号ＶＳ２を出力し、第２に、第１ホログラム８０、第２ホログラム８１を駆動するための駆動回路４３０，４３１の各々に対する制御信号ＣＳ１０，ＣＳ１１をそれぞれ出力し、第３に、各第１ＬＣＤ９０、第２ＬＣＤ９１、第３ＬＣＤ９２に対して駆動に必要なクロック信号ＣＬＫなどを出力するものである。また、駆動回路４３０，４３１は、各々、制御信号ＣＳ１０，ＣＳ１１に従って、第１ホログラム８０，第２ホログラム８１におけるＲ，Ｂモジュールをオン／オフ駆動する。
【００５９】
さて、セレクタ４２０は、信号ＶＳ２に規定される組み合わせに従って、実際に、画像信号Ｒ、Ｇをそれぞれ第１ＬＣＤ９０、第２ＬＣＤ９１に供給するものである。したがって、第１ＬＣＤ９０、第２ＬＣＤ９１の各々には、信号ＶＳ２に規定される組み合わせにしたがった画像信号Ｒ、Ｇのどちらかとともに、クロック信号ＣＬＫなどが供給されて、これらの信号に基づいて当該画像信号の色光の画像が形成されることとなる。
【００６０】
次に、本第３実施形態による液晶プロジェクタの動作について、図１１に示されるタイミングチャートを参照して説明する。まず、最初の垂直同期信号ＶＳＹＮＣが制御回路４１０に供給されると、制御回路４１０は、駆動回路４３０，４３１に対し、第１ホログラム８０において、Ｒモジュール８０ｒをオフ、Ｂモジュール８０ｂをオンとする制御信号ＣＳ１０を供給し、第２ホログラム８１において、Ｒモジュール８１ｒをオン、Ｂモジュール８１ｂをオフとする制御信号ＣＳ１１を供給する。
【００６１】
この状態▲１▼では、光源１０による平行光束のうち、ダイクロイックミラー７０で反射された赤色光および青色光が、第１ホログラム８０に入射される。第１ホログラム８０では赤色光が回折して、第１ＬＣＤ９０に入射する一方、青色光が透過し、ミラー７４で反射され、第２ホログラム８１に入射する。第２ホログラム８１では青色光が回折して、第２ＬＣＤ９１に入射する。一方、ダイクロイックミラー７０を透過した緑色光は、ミラー７２で反射され、第３ＬＣＤ９２に入射する。
【００６２】
また、状態▲１▼では、制御回路４１０は、セレクタ４２０に対して次のような組み合わせを規定する信号ＶＳ２を出力する。すなわち、制御回路４１０は、第１ＬＣＤ９０には画像信号Ｒが、第２ＬＣＤ９１には画像信号Ｂが、第３ＬＣＤ９２には画像信号Ｇが、それぞれ供給されるように、セレクタ４２０を制御する。
【００６３】
このため、第１ＬＣＤ９０には、赤色光が入射するとともに、画像信号Ｒが供給されるので、変調によって赤色の画像が形成されることになる。同様に、第２ＬＣＤ９１には、青色光が入射するとともに、画像信号Ｇが供給されるので、青色光の画像が形成され、また、第３ＬＣＤ９２には、緑色光が入射するとともに、画像信号Ｇが供給されるので、緑色光の画像が形成されることになる。
【００６４】
さらに、第１ＬＣＤ９０から出射された赤色光は、クロスプリズム９５の第１、第２ＰＢＳを透過し、第２ＬＣＤ９１および第３ＬＣＤ９２から出射された、青色光および緑色光は、クロスプリズム９５で反射され、最終的には、各色光の合成像が投射レンズ４０を通って、図示しないスクリーン上に投写されることとなる。
【００６５】
次に、第２の垂直同期信号ＶＳＹＮＣが制御回路４１０に供給されると、制御回路４１０は、駆動回路４３０，４３１に対し、第１ホログラム８０において、Ｒモジュール８０ｒをオン、Ｂモジュール８０ｂをオフとする制御信号ＣＳ１０を供給し、第２ホログラム８１において、Ｒモジュール８１ｒをオフ、Ｂモジュール８１ｂをオンとする制御信号ＣＳ１１を供給する。
【００６６】
この状態▲２▼では、光源１０による平行光束のうち、ダイクロイックミラー７０で反射された赤色光および青色光が、第１ホログラム８０に入射される。第１ホログラム８０では青色光が回折して、第１ＬＣＤ９０に入射する一方、赤色光が透過し、ミラー７４で反射され、第２ホログラム８１に入射する。第２ホログラム２２では赤色光が回折して、第２ＬＣＤ９１に入射する。一方、ダイクロイックミラー７０を透過した緑色光は、ミラー７２で反射され、第３ＬＣＤ９２に入射する。
【００６７】
また、状態▲２▼では、制御回路４１０は、セレクタ４２０に対して次のような組み合わせを規定する信号ＶＳ２を出力する。すなわち、制御回路４１０は、第１ＬＣＤ９０には画像信号Ｂが、第２ＬＣＤ９１には画像信号Ｒが、第３ＬＣＤ９２には画像信号Ｇが、それぞれ供給されるように、セレクタ４２０を制御する。
【００６８】
このため、第１ＬＣＤ９０には、青色光が入射するとともに、画像信号Ｂが供給されるので、変調によって青色の画像が形成されることになる。同様に、第２ＬＣＤ９１には、赤色光が入射するとともに、画像信号Ｒが供給されるので、赤色光の画像が形成され、また、第３ＬＣＤ９２には、緑色光が入射するとともに、画像信号Ｇが供給されるので、緑色光の画像が形成されることになる。
【００６９】
さらに、第１ＬＣＤ９０から出射された青色光は、クロスプリズム９５の第１、第２ＰＢＳを透過し、第２ＬＣＤ９１および第３ＬＣＤ９２から出射された、赤色光および緑色光は、クロスプリズム９５で反射され、最終的には、各色光の合成像が投射レンズ４０を通って、図示しないスクリーン上に投射されることとなる。
【００７０】
同様に、第３の垂直同期信号ＶＳＹＮＣが制御回路４１０に供給されると、制御回路４１０は、駆動回路４３０，４３１に対し、第１ホログラム８０において、Ｒモジュール８０ｒをオフ、Ｂモジュール８０ｂをオンとする制御信号ＣＳ１０を供給し、第２ホログラム８１において、Ｒモジュール８１ｒをオン、Ｂモジュール８１ｂをオフとする制御信号ＣＳ１１を供給する。これにより、状態▲２▼から状態▲３▼へと遷移することになる。この状態▲３▼は、上述した状態▲１▼と同じであり、第１ホログラム８０、第２ホログラム８１、第１ＬＣＤ９０〜第３ＬＣＤ９２の動作も同じであるので、説明を省略する。
【００７１】
このように、本第３実施形態によれば、垂直走査期間毎に、青色光を変調する主体が第１ＬＣＤ９０、第２ＬＣＤ９１同士において交互に変更されるので、青色光を変調することによる液晶パネルの劣化は、動作時に２つの第１ＬＣＤ９０、第２ＬＣＤ９１において、互いに均等に進行することになる。このため、液晶パネルの劣化が均等化されるとともに、液晶プロジェクタの連続使用時間が極端に長い場合に特定の液晶パネルにだけ青色光が照射される、という事態が回避されることとなる。また、本第３実施形態では、輝度に与える影響の大きい緑色光については、第３ＬＣＤ９２に固定化しているために、合成像において輝度がチラつくという不具合も解消される。さらに、本第３実施形態では、第１ＬＣＤ９０と第２ＬＣＤ９１に赤色光と青色光とを交互に入射し、第３ＬＣＤ９２には緑色光のみを入射する構成としたので、前述した第１、第２実施形態に比べ、耐光性向上はやや劣るが、クロスプリズム９５を用いる他、ホログラムユニットの数の削減、ホログラム駆動回路の削減など、装置構成を小型化、簡略化を図ることができるようになる。
【００７２】
なお、上述した第３実施形態では、Ｇ（縁）色光用の第３ＬＣＤ９２を固定とし、Ｒ（赤）色光とＢ（青）色光とを切り換える構成としたが、これに限らず、Ｒ（赤）色光を固定とし、Ｇ（縁）色光とＢ（青）色光とを切り換える構成としてもよい。
【００７３】
なお、第２ホログラム８１の代わりにミラーを配置し、第２ＬＣＤ９１へ入射させる構成としてもよい。
【００７４】
＜第４実施形態＞
次に、本発明の第４実施形態について説明する。ここで、図１２は、本発明の第４実施形態による液晶プロジェクタの構成を示す平面図である。なお、図７に対応する部分には同一の符号を付けて説明を省略する。前述した第３実施形態の構成において、実際には、第１ホログラム８０、第２ホログラム８１のいずれでも回折されなかった光が第２ホログラム８１を透過して出射される。そこで、本第４実施形態では、第３実施形態の構成に加えて、第２ホログラム８１を透過した光をミラー１００，１０１、レンズ１０２およびミラー１０３，１０４により光源１０へ戻して再利用するように構成されている。本第４実施形態の動作は第３実施形態と同じであるので説明を省略する。本第４実施形態の構成によれば、効率を向上させることが可能となる。
【００７５】
＜第５実施形態＞
次に、本発明の第５実施形態について説明する。ここで、図１３は、本発明の第５実施形態による液晶プロジェクタの構成を示す平面図である。なお、図１１に対応する部分には同一の符号を付けて説明を省略する。図において、ホログラム１１０は、図１４（ａ）または（ｂ）に示すように、３つのホログラム素子、すなわちＲモジュール１１０ｒ、Ｂモジュール１１０ｂおよびＧモジュール１１０ｇからなり、図１４（ａ）に示すように、Ｒモジュール１１０ｒのみオンとすることで、Ｒ（赤）色光を透過し、Ｇ（緑）色光を図１４（ａ）において斜め左方向へ回折し、Ｂ（青）色光を図１４（ａ）において斜め右方向へ回折するようになっている。また、図１４（ｂ）に示すように、Ｂモジュール１１０ｂのみオンとすることで、Ｂ（青）色光を透過し、Ｇ（緑）色光を図１４（ｂ）において斜め左方向へ回折し、Ｒ（赤）色光を図１４（ｂ）において斜め右方向へ回折するようになっている。なお、Ｇモジュール１１０ｇは切り換え不要であるので、ホログラム記録部のみの構成となっている。
【００７６】
次に、第１ＬＣＤ１１５は、Ｒ（赤）色光またはＢ（青）色光のいずれか一方を変調し、クロスプリズム９５へ入射するようになっている。同様に、第２ＬＣＤ１１６は、Ｒ（赤）色光またはＢ（青）色光のいずれか一方を変調し、ミラー１２０で反射してクロスプリズム９５へ入射するようになっている。そして、第３ＬＣＤ１１７は、Ｇ（緑）色光を変調し、ミラー１２１で反射してクロスプリズム９５へ入射するようになっている。
【００７７】
ここで、図１５は、本第５実施形態による液晶プロジェクタの電気的な構成を示すブロック図である。図において、制御回路５１０は、垂直走査に同期する垂直同期信号ＶＳＹＮＣと、水平走査に同期する水平同期信号ＨＳＹＮＣとを入力して、次のような制御を行うものである。すなわち、制御回路５１０は、第１に、赤色、青色にそれぞれ対応する画像信号Ｒ、Ｂと、この画像信号を供給する第１ＬＣＤ１１５、第２ＬＣＤ１１６との組み合わせを指示する信号ＶＳ３を出力し、第２に、ホログラム１１０を駆動するための駆動回路５３０に対する制御信号ＣＳ１２をそれぞれ出力し、第３に、各第１ＬＣＤ１１５、第２ＬＣＤ１１６、第３ＬＣＤ１１７に対して駆動に必要なクロック信号ＣＬＫなどを出力するものである。また、駆動回路５３０は、制御信号ＣＳ１２に従って、ホログラム１１０におけるＲ，Ｂモジュールをオン／オフ駆動する。
【００７８】
さて、セレクタ５２０は、信号ＶＳ３に規定される組み合わせに従って、実際に、画像信号Ｒ、Ｂをそれぞれ第１ＬＣＤ１１５、第２ＬＣＤ１１６に供給するものである。したがって、第１ＬＣＤ１１５、第２ＬＣＤ１１６の各々には、信号ＶＳ３に規定される組み合わせにしたがった画像信号Ｒ、Ｂのどちらかとともに、クロック信号ＣＬＫなどが供給されて、これらの信号に基づいて当該画像信号の色光の画像が形成されることとなる。
【００７９】
次に、本第５実施形態による液晶プロジェクタの動作について、図１６に示されるタイミングチャートを参照して説明する。まず、最初の垂直同期信号ＶＳＹＮＣが制御回路５１０に供給されると、制御回路５１０は、駆動回路５３０に対し、ホログラム１１０において、Ｒモジュール１１０ｒをオン、Ｂモジュール１１０ｂをオフとする制御信号ＣＳ１２を供給する。
【００８０】
この状態▲１▼では、ホログラム１１０において、光源１０による平行光束のうち、赤色光が透過して第１ＬＣＤ１１５に入射し、青色光が回折して第２ＬＣＤ１１６に入射し、緑色光が回折して第３ＬＣＤ１１７に入射する。
【００８１】
また、状態▲１▼では、制御回路５１０は、セレクタ５２０に対して次のような組み合わせを規定する信号ＶＳ３を出力する。すなわち、制御回路５１０は、第１ＬＣＤ１１５には画像信号Ｒが、第２ＬＣＤ１１６には画像信号Ｂが、第３ＬＣＤ１１７には画像信号Ｇが、それぞれ供給されるように、セレクタ５２０を制御する。
【００８２】
このため、第１ＬＣＤ１１５には、赤色光が入射するとともに、画像信号Ｒが供給されるので、変調によって赤色の画像が形成されることになる。同様に、第２ＬＣＤ１１６には、青色光が入射するとともに、画像信号Ｂが供給されるので、青色光の画像が形成され、また、第３ＬＣＤ１１７には、緑色光が入射するとともに、画像信号Ｇが供給されるので、緑色光の画像が形成されることになる。
【００８３】
さらに、第１ＬＣＤ１１５から出射された赤色光は、クロスプリズム９５の第１、第２ＰＢＳを透過し、第２ＬＣＤ１１６および第３ＬＣＤ１１７から出射された、青色光および緑色光は、ミラー１２０，１２１を介してクロスプリズム９５で反射され、最終的には、各色光の合成像が投射レンズ４０を通って、図示しないスクリーン上に投射されることとなる。
【００８４】
次に、第２の垂直同期信号ＶＳＹＮＣが制御回路５１０に供給されると、制御回路５１０は、駆動回路５３０に対し、ホログラム１１０において、Ｒモジュール１１０ｒをオフ、Ｂモジュール１１０ｂをオンとする制御信号ＣＳ１２を供給する。
【００８５】
この状態▲２▼では、ホログラム１１０において、青色光が透過して、第１ＬＣＤ１１５に入射し、赤色光が回折して第２ＬＣＤ１１６に入射し、さらに、緑色光が回折して第３ＬＣＤ１１７に入射する。
【００８６】
また、状態▲２▼では、制御回路５１０は、セレクタ５２０に対して次のような組み合わせを規定する信号ＶＳ３を出力する。すなわち、制御回路５１０は、第１ＬＣＤ１１５には画像信号Ｂが、第２ＬＣＤ１１６には画像信号Ｒが、第３ＬＣＤ１１７には画像信号Ｇが、それぞれ供給されるように、セレクタ５２０を制御する。
【００８７】
このため、第１ＬＣＤ１１５では、青色光が入射するとともに、画像信号Ｂが供給されるので、変調によって青色の画像が形成されることになる。同様に、第２ＬＣＤ１１６では、赤色光が入射するとともに、画像信号Ｒが供給されるので、赤色光の画像が形成され、また、第３ＬＣＤ１１７では、緑色光が入射するとともに、画像信号Ｇが供給されるので、緑色光の画像が形成されることになる。
【００８８】
さらに、第１ＬＣＤ１１５から出射された青色光は、クロスプリズム９５の第１、第２ＰＢＳを透過し、第２ＬＣＤ１１６および第３ＬＣＤ１１７から出射された、赤色光および緑色光は、クロスプリズム９５で反射され、最終的には、各色光の合成像が投射レンズ４０を通って、図示しないスクリーン上に投射されることとなる。
【００８９】
同様に、第３の垂直同期信号ＶＳＹＮＣが制御回路５１０に供給されると、制御回路５１０は、駆動回路５３０に対し、ホログラム１１０において、Ｒモジュール１１０ｒをオン、Ｂモジュール１１０ｂをオフとする制御信号ＣＳ１２を供給する。これにより、状態▲２▼から状態▲３▼へと遷移することになる。この状態▲３▼は、上述した状態▲１▼と同じであり、ホログラム１１０、第１ＬＣＤ１１５〜第３ＬＣＤ１１７の動作も同じであるので、説明を省略する。
【００９０】
このように、本第５実施形態によれば、垂直走査期間毎に、青色光を変調する主体が第１ＬＣＤ１１５、第２ＬＣＤ１１６同士において交互に変更されるので、青色光を変調することによる液晶パネルの劣化は、動作時に２つの第１ＬＣＤ１１５、第２ＬＣＤ１１６において、互いに均等に進行することになる。このため、液晶パネルの劣化が均等化されるとともに、液晶プロジェクタの連続使用時間が極端に長い場合に特定の液晶パネルにだけ青色光が照射される、という事態が回避されることとなる。また、本第５実施形態では、輝度に与える影響の大きい緑色光については、第３ＬＣＤ１１７に固定化しているために、合成像において輝度がチラつくという不具合も解消される。さらに、本第５実施形態では、１つのホログラム１１０により緑色光、赤色光、青色光を３方向に分離し、第１ＬＣＤ１１５と第２ＬＣＤ１１６に赤色光と青色光とを交互に入射し、第３ＬＣＤ１１７には緑色光のみを入射する構成としたので、前述した第３実施形態に比べ、さらに、ホログラムユニットの数の削減、ホログラム駆動回路の削減など、装置構成を小型化、簡略化を図ることができるようになる。
【００９１】
【発明の効果】
以上説明したように、本発明によれば、青色光のような、ある特定の色光を変調する液晶パネルの劣化を防止して、液晶パネルの延命化することが可能となるとともに、装置構成の小型化、簡略化を図ることが可能となる。
【図面の簡単な説明】
【図１】  本発明の第１実施形態による液晶プロジェクタの構成を示す平面図である。
【図２】  ホログラム素子の構造、動作例および光学特性を示す概念図である。
【図３】  ホログラムの動作を説明するための一例を示す概念図である。
【図４】  本第１実施形態による液晶プロジェクタの電気的な構成を示すブロック図である。
【図５】  本第１実施形態による液晶プロジェクタの動作を説明するためのタイミングチャートである。
【図６】  本発明の第２実施形態による液晶プロジェクタの構成を示す平面図である。
【図７】  本発明の第３実施形態による液晶プロジェクタの構成を示す平面図である。
【図８】  本第３実施形態によるホログラムの動作を説明するための一例を示す概念図である。
【図９】  本第３実施形態によるクロスプリズムの動作を説明するための一例を示す概念図である。
【図１０】  本第３実施形態による液晶プロジェクタの電気的な構成を示すブロック図である。
【図１１】  本第３実施形態による液晶プロジェクタの動作を説明するためのタイミングチャートである。
【図１２】  本発明の第４実施形態による液晶プロジェクタの構成を示す平面図である。
【図１３】  本発明の第５実施形態による液晶プロジェクタの構成を示す平面図である。
【図１４】  本第５実施形態によるホログラムの動作を説明するための一例を示す概念図である。
【図１５】  本第５実施形態による液晶プロジェクタの電気的な構成を示すブロック図である。
【図１６】  本第５実施形態による液晶プロジェクタの動作を説明するためのタイミングチャートである。
【符号の説明】
１０……光源
１２……メタルハライドランプ
１４……リフレクタ
２１，２２，２３……第１ホログラム、第２ホログラム、第３ホログラム（光分離手段）
２４，２５，２６……第４ホログラム、第５ホログラム、第６ホログラム（光合成手段）
３０，３１，３２……第１ＬＣＤ、第２ＬＣＤ、第３ＬＣＤ
４０……投射レンズ
６０〜６３……ミラー
２１０……制御回路
２２０……セレクタ
２３０〜２３５……駆動回路
７０……ダイクロイックミラー
７２，７４……ミラー
８０，８１……第１ホログラム、第２ホログラム
９０，９１，９２……第１ＬＣＤ、第２ＬＣＤ、第３ＬＣＤ
９５……クロスプリズム
４１０……制御回路
４２０……セレクタ
４３０，４３１……駆動回路
１００〜１０４……ミラー
１１０……ホログラム
１１５，１１６，１１７……第１ＬＣＤ、第２ＬＣＤ、第３ＬＣＤ
１２０，１２１……ミラー
５１０……制御回路
５２０……セレクタ
５３０……駆動回路
【図１】
0004075297.tif 000002
【図２】
0004075297.tif 000003
【図３】
0004075297.tif 000004
【図４】
0004075297.tif 000005
【図５】
0004075297.tif 000006
【図６】
0004075297.tif 000007
【図７】
0004075297.tif 000008
【図８】
0004075297.tif 000009
【図９】
0004075297.tif 000010
【図１０】
0004075297.tif 000011
【図１１】
0004075297.tif 000012
【図１２】
0004075297.tif 000013
【図１３】
0004075297.tif 000014
【図１４】
0004075297.tif 000015
【図１５】
0004075297.tif 000016
【図１６】
0004075297.tif 000017